(57)【要約】　　　（修正有）【課題】活線状態にあることを表示するとともに電線の誤切断を防止する。【解決手段】被切断電線が発する電界又は磁界を検出する検知手段を備え、被切断電線の電界又は磁界が所定値以上であったとき活線状態であることを表示する表示器を備え、検知手段の信号によりカッターのスイッチを停止する。【選択図】　　　　　図４
0003098677.tif 000002
【実用新案登録請求の範囲】
【請求項１】
被切断電線が発する電界又は磁界を検出する検知手段を備え、該検知手段により検知された被切断電線の電界又は磁界が所定値以上であったとき前記被切断電線が活線状態であることを表示する表示器を備えるとともに、前記検知手段の信号によりスイッチを停止せしめることを特徴とする電流監視型誤切断防止カッター。
【請求項２】
外周に伝導用歯を刻設し内周を上部刃とした回動可能な弧状の可動刃と該可動刃の下部に設けられ前記可動刃の回動によって被切断電線を切断するための固定刃と、該固定刃の側方の本体平面部に設けた検知部と、カッター本体に連通して設けた突出体に内装した表示器とを備え、前記検知部により被切断電線の電界又は磁界を検知し、該検知された電界又は磁界が所定値以上であったとき被切断電線が活線状態であることを前記表示器により表示するとともに前記検知手段の信号によりスイッチを停止せしめるようにしたことを特徴とする電流監視型誤切断防止カッター。
【考案の詳細な説明】
【０００１】
【産業上の利用分野】
本考案は、電線・ケーブル類を切断のうえ撤去作業を行なう際、電線が通電状態所謂活線状態であるときにそれを表示するとともにカッターを不作動とするようにした電流監視型誤切断防止カッターに関する。
【０００２】
【従来の技術】
電線・ケーブル類の撤去作業の際には電線・ケーブルを切断することになるが、切断しようとする電線が活線状態にあるときは、これを切断することは避けなければならない。このため、電線・ケーブル撤去のためのマニュアルを作成し、このマニュアルに基づいて確認作業を行なっているが、この撤去のためのマニュアルを遵守しても、なおヒューマンエラ−を完全になくすことはできず、必ずしも万全な手段とは言えないのが現状である。そこで、これを防止するために活線状態の電線の誤切断防止を電気的・機械的に行なうことが種々提案されている。
【０００３】
電線を切断する際に、剪断刃が電線の導体に触れたときに該電線が切断されることを防止するために、電線の通電状態を検出すると剪断刃が電線を切断しないように係止されるようにしたものがある（例えば特許文献１参照）。
【０００４】
【特許文献１】特開平６ー２６１９８５号公報
【０００５】
前記した特許文献１に記載された考案は、剪断刃３１を有する一方の作動部材３２と、前記剪断刃３１に対して接離自在に設けられた受け部３３を有する他方の作動部材３４とを有し、前記の剪断刃３１が電線の導体に触れたとき、電線の通電状態を検出する検出手段と、該検出手段が導線の通電状態を検出した場合に励磁するソレノイドとを備え、前記ソレノイドの励磁によって作動するラッチ機構により導線の切断を防止するようにしている。
【０００６】
しかしながら、前記した従来技術は剪断刃３１が電線の導体に触れたときにその通電状態を検知して切断を防止する機構を作動させるようにしているため、導体に触れたときに直ちに切断がなされないように剪断刃３１の受け部３３に対する荷重によって変形する弾性部材を備えた構成としている。
【０００７】
【考案が解決しようとする課題】
上記したように従来の電線の誤切断防止においては、電線の導体に上部刃が触れたときに通電状態を検知するものであるため、上部刃が直ちに切断動作を作動しないようにある荷重以上とならないと切断しないように荷重によって変形す弾性部材を設けるようにしている。しかしながら、手動にて切断を行なう場合はともかく、電動で切断作業を行なう場合においては、前記した弾性部材を備えていたとしても、その状態を維持することは困難であり切断作業はそのまま続行される恐れがある。
【０００８】
そこで、電線の導体に触れなくても電線が活線状態にあることを検知するようにしてその結果に基づいて切断動作を停止するようにすることが求められている。
本考案は上記の事項に鑑みて考案されたものであり、被切断電線が活線状態であることを被切断電線の電界或は磁界を検知することにより、その検知した電界又は磁界の値が所定値以上であったとき、活線状態であることを表示するとともにカッターを不作動とするようにした電流監視型誤切断防止カッターの提供を目的とするものである。
【０００９】
【課題を解決するための手段】
本考案に係る電流監視型誤切断防止カッターは、前記の目的を達成するために、被切断電線が発する電界又は磁界を検出する検知手段を備え、該検知手段により検知された被切断電線の電界又は磁界が所定値以上であったとき前記被切断電線が活線状態であることを表示する表示器を備え、前記検知手段の信号によりスイッチを停止せしめることをその特徴とし、さらに、本考案においては、外周に伝導用歯を刻設し内周を上部刃とした回動可能な弧状の可動刃と該可動刃の下部に設けられ前記可動刃の回動によって被切断物を切断するための固定刃と、該固定刃の側方の本体平面部に設けた検知部と、カッター本体に連通して設けた突出体に内装した表示器とを備え、前記検知部により被切断電線の電界又は磁界を検知し、該検知された電界又は磁界が所定値以上であったとき被切断電線が活線状態であることを前記表示器により表示するとともに前記検知手段の信号によりスイッチを停止せしめるようにしたことをその特徴とするものである。
【００１０】
【考案の実施の形態】
本考案の実施の形態を図に基づいて説明すると、本考案で用いられるカッター１の切断機構それ自体は従来より市販されよく知られたもので、カッター１の本体の先端上部に図示しないモータ等の駆動原により回転せしめられる歯車２が設けられ、該歯車２と噛合する伝動用歯３を外周を刻設し内周部を上部刃４とした弧状の可動刃５と、前記弧状の可動刃５と対向して湾曲された弧状の固定刃６が前記可動刃１の下部に設けられている。
【００１１】
前記した弧状とされた固定刃６の外側の頂部に枢支された軸７に前記の可動刃５を軸支し、該可動刃５の外周に刻設された伝動用歯３と前記した歯車２とが噛合するように構成されている。また、８は可動刃５の側面に突設された可動刃操作用ハンドルである。したがって、可動刃５の側面に設けられた可動刃操作用ハンドル８により軸７を中心として可動刃５を回動させて、該可動刃５の外周に刻設の伝動用歯３を歯車２と噛合させ該歯車２を回転せしめれば可動刃５は前記の軸７を中心として回動し、固定刃６と共同して電線等の被切断物を切断することができるものである。
【００１２】
ところで、電線・ケーブル類の撤去作業の際に通電状態所謂活線状態にある電線・ケーブルを切断することは避けなければならず、そのため前述したように予め電線・ケーブル撤去マニュアルに従ってスイッチを切るようにしているが、スイッチを切っても、なおある時間微弱な電流が残存することがあり、この状態で切断することは避けなければならず、活線状態を検出するのみならずスイッチを切ったのちにおける微弱な電流であっても検知する必要がある。
【００１３】
前記したように電線・ケーブルのスイッチを切っても約５秒程度放電するのに時間がかかるものであるので微弱な電流であっても検知する必要があるため、本実施の形態においては、０．７５Ａ以上の電流が流れていればそれを検知するようにし、その検知にしたがってカッター１のスイッチを切るようにしている。
このため、前記した可動刃５の側部に設けられた可動刃操作用ハンドル８の反対側であって該可動刃５とともに切断作業に携わる固定刃６の側部に本体に平坦面１１を形成し、該平坦面１１には被切断電線の電界又は磁界を検知する検知部例えばセンサ１２を装備する。
【００１４】
前記した平坦面１１の側方に切断機本体に連通して突出体１０を設け、該突出体１０内には、切断しようとする電線１４が活線状態である場合、該電線が発する電界又は磁界を検知部１２が検知し、電路が０．７５Ａ以上の負荷状態であることを表示する表示器１３が内装されている。このように表示器１３を内装して前記の平坦面１１の表面に表示することにより作業者に電線が活線状態であることを知らせるようにしてある。
【００１５】
上記したように、切断せんとする電線１４の電流が０．７５Ａ以上であることを検知したとき、通常の方式によって検知した信号をスイッチ回路部１５に伝達し、切断機の電源であるモータＭのスイッチを切るようにする。このように、本考案の実施の形態にあっては、切断せんとする電線の電流が０．７５Ａ以上の活線状態にあるときには表示器１３により作業者に知らせるとともに電源を断つようにしているので誤切断を確実に防止することができるものである。
【００１６】
本実施の形態における電流監視型誤切断防止カッターは、切断しようとする電線を検知部１２に触れさせ、該検知部１２により電線の電界又は磁界を検知し、電線の電流が０．７５Ａ以上であったとき、それを表示器によって作業者に知らせるとともに切断器のスイッチを停止するようにしたので、誤切断を防止することができるものであり、特に電灯電力工事例えば分電盤内の配線のように分岐ケーブルが輻輳している狭いスペース内での電線撤去作業に有効に利用できるものである。
【００１７】
本実施の形態にあっては、電界又は磁界を検知するための検知部は電線は固定刃６の側部に設けられた平坦面１１に設けられているので、その上に電線を置くものであるので電線を安定した状態で検知することができるものである。
【００１８】
【考案の効果】
本考案に係る電流監視型誤切断防止カッターは、被切断電線が発する電界又は磁界を検知して、該検知された被切断電線の電界又は磁界が所定値以上であったとき、該被切断電線が活線状態にあることを作業者に表示するとともに、前記の検知手段の信号により切断機のモータのスイッチを停止するようにしたので、活線状態にある電線の誤切断を完全に防止することができたものである。
【図面の簡単な説明】
【図１】カッターの説明図
【図２】検知部の説明図
【図３】検知部、表示器及び切断機のスイッチ停止部の説明図
【図４】電線の切断状態の説明図
【図５】従来の誤切断防止カッターの説明図
【符号の説明】
１　　　　カッター
５　　　　可動刃
６　　　　固定刃
１２　　　検知部
１３　　表示部
【図１】
0003098677.tif 000003
【図２】
0003098677.tif 000004
【図３】
0003098677.tif 000005
【図４】
0003098677.tif 000006
【図５】
0003098677.tif 000007